(57)【要約】【課題】  立てた状態で組み立てる場合において、容易に一体化することができ、かつ各部材の位置決めを容易に行い得る液晶表示装置を提供する。【解決手段】  液晶パネル２０が、パネル固定金具１０とパネルホルダ３０との間に挟持され、拡散板３及びランプホルダ４０がパネルホルダ３０とリアシャーシ５０との間に挟持される。ランプホルダ４０とリアシャーシ５０との間で互いに嵌合される凹凸部からなるランプホルダ位置決め用突起４３及びリアシャーシ孔５２が設けられる。ランプホルダ４０とパネルホルダ３０との間で互いに嵌合される凹凸部からなるパネルホルダ位置決め用突起４４及びパネルホルダ位置決め孔３１が設けられる。パネル固定金具１０とパネルホルダ３０との間で互いに嵌合される凹凸部からなる固定金具位置決め用突起３７及びパネル固定金具孔１４が設けられている。【選択図】  図１
2006235127.tif 000002
【特許請求の範囲】
【請求項１】
厚み方向に対し、少なくとも、リアシャーシ、バックライトを取り付けたランプホルダ、拡散板、パネルホルダ、液晶パネル及びパネル固定金具がこの順に組み込まれた液晶表示装置において、
上記液晶パネルが、パネル固定金具とパネルホルダとの間に挟持され、かつ上記拡散板及びランプホルダが上記パネルホルダとリアシャーシとの間に挟持されると共に、
上記ランプホルダ及びリアシャーシには、該ランプホルダとリアシャーシとの間で互いに嵌合される凹凸部からなる第１嵌合部がそれぞれ設けられ、
上記ランプホルダ及びパネルホルダには、該ランプホルダとパネルホルダとの間で互いに嵌合される凹凸部からなる第２嵌合部がそれぞれ設けられ、
上記パネルホルダ及びパネル固定金具には、該パネル固定金具とパネルホルダとの間で互いに嵌合される凹凸部からなる第３嵌合部がそれぞれ設けられていることを特徴とする液晶表示装置。
【請求項２】
前記リアシャーシの縁部にはシャーシ立設壁が立設され、かつ前記ランプホルダの端部にはバックライトを支持するランプホルダ架台が設けられていると共に、
上記ランプホルダ架台の側面壁は、上記シャーシ立設壁内に嵌合されるように形成されていることを特徴とする請求項１記載の液晶表示装置。
【請求項３】
前記リアシャーシの縁部にはシャーシ立設壁が立設され、かつ前記パネルホルダの縁部にはパネルホルダ垂下部が設けられていると共に、
上記パネルホルダのパネルホルダ垂下部は、上記シャーシ立設壁に外嵌されるように形成されていることを特徴とする請求項１記載の液晶表示装置。
【請求項４】
前記パネルホルダの縁部にはパネルホルダ垂下部が設けられていると共に、
上記パネルホルダのパネルホルダ垂下部は、前記シャーシ立設壁に外嵌されるように形成されていることを特徴とする請求項２記載の液晶表示装置。
【請求項５】
前記パネルホルダのパネルホルダ垂下部には、弾性を有する係止爪が設けられていると共に、
前記リアシャーシのシャーシ立設壁には、パネルホルダのパネルホルダ垂下部が上記シャーシ立設壁内に嵌合されたときに、パネルホルダ垂下部がシャーシ立設壁から外れないように上記係止爪を係止する係止部が形成されていることを特徴とする請求項２、３又は４記載の液晶表示装置。
【請求項６】
前記パネルホルダには凸状に立ち上がるパネルホルダ台部が形成されていると共に、
前記パネル固定金具には、上記パネルホルダ台部に嵌合される固定金具段差部が形成されていることを特徴とする請求項１〜５のいずれか１項に記載の液晶表示装置。
【請求項７】
前記ランプホルダには、前記拡散板を載置する拡散板載置部が設けられ、かつ上記拡散板を上記拡散板載置部に載置するときに該拡散板を嵌合させる拡散板嵌合部が設けられていることを特徴とする請求項１〜６のいずれか１項に記載の液晶表示装置。
【請求項８】
前記パネルホルダには、前記液晶パネルを載置するパネル載置部が設けられ、かつ上記液晶パネルを上記パネル載置部に載置するときに該液晶パネルを嵌合させる嵌合垂直部が立設されていることを特徴とする請求項１〜７のいずれか１項に記載の液晶表示装置。
【請求項９】
前記パネルホルダのパネル載置部及び嵌合垂直部は、弾性を有するスペーサを含むと共に、
上記スペーサは、上記パネル載置部及び嵌合垂直部における、パネルホルダの周囲全体又は部分的に設けられていることを特徴とする請求項１〜８のいずれか１項に記載の液晶表示装置。
【請求項１０】
前記パネルホルダの嵌合垂直部に部分的に設けられている、弾性を有するスペーサは、その設置場所に応じた、異なる柔軟性を有していることを特徴とする請求項９記載の液晶表示装置。
【請求項１１】
前記パネルホルダと前記ランプホルダとは同じ素材にて構成されていることを特徴とする請求項１〜１０のいずれか１項に記載の液晶表示装置。
【請求項１２】
前記パネルホルダ及び前記ランプホルダは、プラスチックにて構成されていることを特徴とする請求項１１記載の液晶表示装置。
【請求項１３】
前記ランプホルダ及びパネルホルダに設けられた第２嵌合部は、該ランプホルダ及びパネルホルダの四隅に設けられていると共に、
上記四隅の各第２嵌合部における凹部の大きさは、それぞれ異なっていることを特徴とする請求項１〜１２のいずれか１項に記載の液晶表示装置。
【発明の詳細な説明】
【技術分野】
【０００１】
本発明は、厚み方向に対し、少なくとも、リアシャーシ、バックライトを取り付けたランプホルダ、拡散板、パネルホルダ、液晶パネル及びパネル固定金具がこの順に組み込まれた液晶表示装置に関するものであり、特に、それらの部材の取り付け構造に関する。
【背景技術】
【０００２】
従来、特許文献１に開示された液晶表示装置１００では、図７（ａ）（ｂ）に示すように、厚み方向に対して、リアシャーシ１０１、蛍光管等のバックライト１０２、第一支持台１０３、第二支持台１０４、拡散板１０５、中間枠１０６、液晶パネル１０７、及びパネル収容枠１０８の各部材が順に組込まれている。
【０００３】
この液晶表示装置１００では、液晶パネル１０７の周辺部を収納させるための中間枠１０６の位置決めをするために、第二支持台１０４との間で、液晶表示装置１００の厚み方向に対し垂直方向からビス１０９をリアシャーシ孔１０１ａ及び中間枠孔１０６ａに嵌合することによって、中間枠１０６を固定しながら拡散板１０５を第二支持台１０４との間で狭持する構造を有している。
【０００４】
上記中間枠１０６は、図８に示す長尺体にてなっており、この長尺体からなる中間枠１０６にて、四角い画面を有する上記液晶パネル１０７の４辺を固定するためには、少なくとも２つの中間枠１０６を用意して液晶パネル１０７を保持する必要がある。
【特許文献１】特開２００４−２９６６２号公報（２００４年１月２９日公開）
【発明の開示】
【発明が解決しようとする課題】
【０００５】
しかしながら、上記従来の液晶表示装置において、中間枠１０６の位置決めをするために、第二支持台１０４との間で厚み方向に対し垂直方向からビス１０９を嵌合する構造となっている。このため、中間枠１０６を少なくとも２つ用意して液晶パネル１０７保持する必要があるので、部品点数が増える結果になるという問題点を有している。
【０００６】
また、上記中間枠１０６は、画面の縁の一辺にのみに配置するような形状を有しており、液晶パネル１０７の周辺全体を収容させるような形状を有していない。この結果、液晶表示装置１００を立てかけて製造する場合には、液晶パネル１０７を画面下側で支えることができない。したがって、液晶パネル１０７の上下方向の位置決めを確実に行うことができないという問題点を有している。
【０００７】
また、このような中間枠１０６に対して、軽量化するためにポリカーボネート等のプラスチック素材を用いることも考えられる。その場合に、嵌合の相方の部材との熱膨張を考慮しないと、嵌合した相手との間との熱膨張の差によって中間枠１０６に応力が生じてしまい、液晶表示装置１００の駆動時における蛍光管等の周辺部材の温度上昇に伴って中間枠１０６が変形し易くなる。特に、大型の液晶表示装置１００においてはその影響が大きい。その結果、液晶パネル１０７や拡散板１０５を支持することが困難になる。
【０００８】
さらに、リアシャーシ孔１０１ａ及び中間枠孔１０６ａに嵌合されるビス１０９は液晶表示装置１００の厚さ方向に対して垂直方向（つまり薄型表示装置の側部の方向）から嵌合されるので、この中間枠１０６を取外す時には液晶表示装置１００の左右に作業者が位置してビス１０９を外すこという解体時の作業手間も問題視される。
【０００９】
本発明は、上記従来の問題点に鑑みなされたものであって、その目的は、立てた状態で組み立てる場合において、容易に一体化することができ、かつ各部材の位置決めを容易に行い得る液晶表示装置を提供することにある。
【課題を解決するための手段】
【００１０】
本発明の液晶表示装置は、上記課題を解決するために、厚み方向に対し、少なくとも、リアシャーシ、バックライトを取り付けたランプホルダ、拡散板、パネルホルダ、液晶パネル及びパネル固定金具がこの順に組み込まれた液晶表示装置において、上記液晶パネルが、パネル固定金具とパネルホルダとの間に挟持され、かつ上記拡散板及びランプホルダが上記パネルホルダとリアシャーシとの間に挟持されると共に、上記ランプホルダ及びリアシャーシには、該ランプホルダとリアシャーシとの間で互いに嵌合される凹凸部からなる第１嵌合部がそれぞれ設けられ、上記ランプホルダ及びパネルホルダには、該ランプホルダとパネルホルダとの間で互いに嵌合される凹凸部からなる第２嵌合部がそれぞれ設けられ、上記パネルホルダ及びパネル固定金具には、該パネル固定金具とパネルホルダとの間で互いに嵌合される凹凸部からなる第３嵌合部がそれぞれ設けられていることを特徴としている。
【００１１】
上記の発明によれば、液晶パネルが、パネル固定金具とパネルホルダとの間に挟持され、かつ拡散板及びランプホルダがパネルホルダとリアシャーシとの間に挟持される。したがって、各部材を積層していくだけであるので、容易に各部材を一体化することができる。
【００１２】
また、組み立てに際しては、ランプホルダ及びリアシャーシには、該ランプホルダとリアシャーシとの間で互いに嵌合される凹凸部からなる第１嵌合部がそれぞれ設けられているので、リアシャーシに形成された第１嵌合部の凹凸部のいずれか一方に、ランプホルダに形成された第１嵌合部の対応する凸凹部を挿入すればよい。
【００１３】
また、ランプホルダ及びパネルホルダには、該ランプホルダとパネルホルダとの間で互いに嵌合される凹凸部からなる第２嵌合部がそれぞれ設けられているので、上記リアシャーシに組み付けられたランプホルダに形成された第２嵌合部の凹凸部のいずれか一方に、パネルホルダに形成された第２嵌合部の対応する凸凹部を挿入すればよい。
【００１４】
さらに、パネルホルダ及びパネル固定金具には、該パネル固定金具とパネルホルダとの間で互いに嵌合される凹凸部からなる第３嵌合部がそれぞれ設けられているので、上記リアシャーシ及びランプホルダが一体となったパネルホルダに形成された第３嵌合部の凹凸部のいずれか一方に、パネル固定金具に形成された第３嵌合部の対応する凸凹部を挿入すればよい。
【００１５】
このように、各部材が凹凸部からなる第１嵌合部〜第３嵌合部によって、組み立てられるので、凸部を凹部又は凹部を凸部に挿入するだけで、容易に各部材の位置決めを行うことができる。したがって、立てた状態で組み立てる場合において、容易に一体化することができ、かつ各部材の位置決めを容易に行い得る液晶表示装置を提供することができる。
【００１６】
また、本発明の液晶表示装置では、前記リアシャーシの縁部にはシャーシ立設壁が立設され、かつ前記ランプホルダの端部にはバックライトを支持するランプホルダ架台が設けられていると共に、上記ランプホルダ架台の側面壁は、上記シャーシ立設壁内に嵌合されるように形成されていることが好ましい。
【００１７】
これにより、ランプホルダとリアシャーシとを第１嵌合部にて嵌合するときに、ランプホルダ架台の側面壁をシャーシ立設壁内に沿わすだけで、第１嵌合部での嵌合が達成できるように案内される。したがって、第１嵌合部での嵌合がさらに容易になる。
【００１８】
また、本発明の液晶表示装置では、前記リアシャーシの縁部にはシャーシ立設壁が立設され、かつ前記パネルホルダの縁部にはパネルホルダ垂下部が設けられていると共に、上記パネルホルダのパネルホルダ垂下部は、上記シャーシ立設壁に外嵌されるように形成されていることが好ましい。
【００１９】
また、本発明の液晶表示装置では、前記パネルホルダの縁部にはパネルホルダ垂下部が設けられていると共に、上記パネルホルダのパネルホルダ垂下部は、前記シャーシ立設壁に外嵌されるように形成されていることが好ましい。
【００２０】
これにより、パネルホルダとランプホルダとを第２嵌合部にて嵌合するときに、パネルホルダ垂下部をシャーシ立設壁に沿わすだけで、第２嵌合部での嵌合が達成できるように案内される。したがって、第２嵌合部での嵌合がさらに容易になる。
【００２１】
また、本発明の液晶表示装置では、前記パネルホルダのパネルホルダ垂下部には、弾性を有する係止爪が設けられていると共に、前記リアシャーシのシャーシ立設壁には、パネルホルダのパネルホルダ垂下部が上記シャーシ立設壁内に嵌合されたときに、パネルホルダ垂下部がシャーシ立設壁から外れないように上記係止爪を係止する係止部が形成されていることが好ましい。
【００２２】
これにより、パネルホルダのパネルホルダ垂下部がシャーシ立設壁内に嵌合されたときに、パネルホルダ垂下部がシャーシ立設壁から外れないように、係止部が係止爪を係止する。したがって、係止爪及び係止部によって、例えばビスを用いなくても、リアシャーシにパネルホルダを仮止めすることができる。
【００２３】
また、本発明の液晶表示装置では、前記パネルホルダには凸状に立ち上がるパネルホルダ台部が形成されていると共に、前記パネル固定金具には、上記パネルホルダ台部に嵌合される固定金具段差部が形成されていることが好ましい。
【００２４】
これにより、パネル固定金具とランプホルダとを第３嵌合部にて嵌合するときに、固定金具段差部を、凸状に立ち上がるパネルホルダ台部に沿わすだけで、第３嵌合部での嵌合が達成できるように案内される。したがって、第３嵌合部での嵌合がさらに容易になる。
【００２５】
また、本発明の液晶表示装置では、前記ランプホルダには、前記拡散板を載置する拡散板載置部が設けられ、かつ上記拡散板を上記拡散板載置部に載置するときに該拡散板を嵌合させる拡散板嵌合部が設けられていることが好ましい。
【００２６】
これにより、拡散板を拡散板嵌合部に沿わして挿入するだけで、拡散板が拡散板載置部に案内され、拡散板を拡散板載置部に容易に載置することができる。
【００２７】
また、本発明の液晶表示装置では、前記パネルホルダには、前記液晶パネルを載置するパネル載置部が設けられ、かつ上記液晶パネルを上記パネル載置部に載置するときに該液晶パネルを嵌合させる嵌合垂直部が立設されていることが好ましい。
【００２８】
これにより、液晶パネルを嵌合垂直部に沿わして挿入するだけで、液晶パネルがパネル載置部に案内され、液晶パネルをパネル載置部に容易に載置することができる。
【００２９】
また、本発明の液晶表示装置では、前記パネルホルダのパネル載置部及び嵌合垂直部は、弾性を有するスペーサを含むと共に、上記スペーサは、上記パネル載置部及び嵌合垂直部における、パネルホルダの周囲全体又は部分的に設けられていることが好ましい。
【００３０】
これにより、パネルホルダのパネル載置部及び嵌合垂直部には、パネルホルダの周囲全体又は部分的に、弾性を有するスペーサが設けられているので、液晶表示装置が衝撃を受けても液晶パネルが容易に損傷することを防止することができる。
【００３１】
また、本発明の液晶表示装置では、前記パネルホルダの嵌合垂直部に部分的に設けられている、弾性を有するスペーサは、その設置場所に応じた、異なる柔軟性を有していることが好ましい。
【００３２】
これにより、例えば、液晶表示装置の下側では、液晶パネルの自重を考慮して、硬いスペーサを用いることができ、液晶表示装置の一側面側では、膨張・収縮を考慮して、硬いスペーサを用いることができる。また、例えば、液晶表示装置の上側では、液晶パネルの自重を考慮して、柔らかいスペーサを用いることができ、液晶表示装置の他の側面側では、膨張・収縮を考慮して、柔らかいスペーサを用いることができる。
【００３３】
また、本発明の液晶表示装置では、前記パネルホルダと前記ランプホルダとは同じ素材にて構成されていることが好ましい。
【００３４】
これにより、パネルホルダとランプホルダとが第２嵌合部にて一体となったときに、膨張率及び収縮率が同じになるので、パネルホルダとランプホルダとのズレによる第２嵌合部の破損を防止することができる。
【００３５】
また、本発明の液晶表示装置では、前記パネルホルダ及び前記ランプホルダは、プラスチックにて構成されていることが好ましい。
【００３６】
これにより、液晶表示装置の軽量化を図ることができる。また、凹凸部の加工も容易である。
【００３７】
また、本発明の液晶表示装置では、前記ランプホルダ及びパネルホルダに設けられた第２嵌合部は、該ランプホルダ及びパネルホルダの四隅に設けられていると共に、上記四隅の各第２嵌合部における凹部の大きさは、それぞれ異なっていることが好ましい。
【００３８】
これにより、パネルホルダとランプホルダとが第２嵌合部にて一体となったときに、パネルホルダとランプホルダとが膨張又は収縮によってズレても、一部の第２嵌合部の凹部を大きくすることにより、第２嵌合部の破損を防止することができる。
【発明の効果】
【００３９】
本発明の液晶表示装置は、以上のように、液晶パネルが、パネル固定金具とパネルホルダとの間に挟持され、かつ上記拡散板及びランプホルダが上記パネルホルダとリアシャーシとの間に挟持されると共に、上記ランプホルダ及びリアシャーシには、該ランプホルダとリアシャーシとの間で互いに嵌合される凹凸部からなる第１嵌合部がそれぞれ設けられ、上記ランプホルダ及びパネルホルダには、該ランプホルダとパネルホルダとの間で互いに嵌合される凹凸部からなる第２嵌合部がそれぞれ設けられ、上記パネルホルダ及びパネル固定金具には、該パネル固定金具とパネルホルダとの間で互いに嵌合される凹凸部からなる第３嵌合部がそれぞれ設けられているものである。
【００４０】
それゆえ、液晶パネルが、パネル固定金具とパネルホルダとの間に挟持され、かつ拡散板及びランプホルダがパネルホルダとリアシャーシとの間に挟持される。したがって、各部材を積層していくだけであるので、容易に各部材を一体化することができる。
【００４１】
また、組み立てに際しては、ランプホルダ及びリアシャーシには、該ランプホルダとリアシャーシとの間で互いに嵌合される凹凸部からなる第１嵌合部がそれぞれ設けられているので、リアシャーシに形成された第１嵌合部の凹凸部のいずれか一方に、ランプホルダに形成された第１嵌合部の対応する凸凹部を挿入すればよい。
【００４２】
また、ランプホルダ及びパネルホルダには、該ランプホルダとパネルホルダとの間で互いに嵌合される凹凸部からなる第２嵌合部がそれぞれ設けられているので、上記リアシャーシに組み付けられたランプホルダに形成された第２嵌合部の凹凸部のいずれか一方に、パネルホルダに形成された第２嵌合部の対応する凸凹部を挿入すればよい。
【００４３】
さらに、パネルホルダ及びパネル固定金具には、該パネル固定金具とパネルホルダとの間で互いに嵌合される凹凸部からなる第３嵌合部がそれぞれ設けられているので、上記リアシャーシ及びランプホルダが一体となったパネルホルダに形成された第３嵌合部の凹凸部のいずれか一方に、パネル固定金具に形成された第３嵌合部の対応する凸凹部を挿入すればよい。
【００４４】
このように、各部材が凹凸部からなる第１嵌合部〜第３嵌合部によって、組み立てられるので、例えば凸部を凹部に挿入するだけで、容易に各部材の位置決めを行うことができる。したがって、立てた状態で組み立てる場合において、容易に一体化することができ、かつ各部材の位置決めを容易に行い得る液晶表示装置を提供することができるという効果を奏する。
【発明を実施するための最良の形態】
【００４５】
本発明の一実施形態について図１ないし図６に基づいて説明すれば、以下の通りである。
【００４６】
本実施の形態の液晶表示装置１は、図２に示すように、厚み方向に対して、前面から順に、パネル固定金具１０、液晶パネル２０、パネルホルダ３０、光学シート２、受けた光を拡散させて放射する拡散板３、複数の蛍光管等のバックライト４１を備えたランプホルダ４０、及びリアシャーシ５０が組込まれたものからなっている。
【００４７】
上記液晶パネル２０は、一対のガラス基板間に液晶を封入してなる一般的な矩形のものであり、この液晶パネル２０の縁部は、上側の上記パネル固定金具１０と下側の上記パネルホルダ３０とによって挟持されるようになっている。上記液晶パネル２０には、図３に示すように、液晶表示装置１の上側となる部分の長辺に、可撓性のソース側配線フィルム２１を介して液晶パネル駆動用のソース側回路基板２２が接続されている。また、この長辺に直角で液晶表示装置１の右側又は左側となる短辺には、例えば、液晶パネル駆動用にソース側回路基板２２と対をなすゲート側回路基板２３が可撓性のゲート側配線フィルム２４を介して接続されている。
【００４８】
上記パネル固定金具１０は、上記液晶パネル２０を前面から収容するものであり、導電性金属板を用いて例えば板金プレスにて成形された断面略Ｌ字形の各一対のパネル固定金具長辺部材１１及びパネル固定金具短辺部材１２を有する枠体からなっている。これらパネル固定金具長辺部材１１及びパネル固定金具短辺部材１２は、図４（ａ）（ｂ）に示すように、枠体の各角部にて例えばリベット１３にて接合されている。
【００４９】
本実施の形態では、図２に示すように、上記パネル固定金具１０、液晶パネル２０、パネルホルダ３０、光学シート２、拡散板３、ランプホルダ４０及びリアシャーシ５０は、後述する各凹凸部により嵌合して位置決めされた後、パネル固定金具１０からリアシャーシ５０まで貫通する貫通ビス５によってネジ止めされるようになっている。したがって、その貫通ビス５を通すためのネジ孔がパネル固定金具１０、パネルホルダ３０及びリアシャーシ５０の各所に穿設されている。
【００５０】
具体的には、各パネル固定金具長辺部材１１には、そのパネル固定金具長辺部材１１を約１／３分割した位置に固定金具貫通ビス孔１０ａがそれぞれ設けられている。また、パネル固定金具短辺部材１２には、そのパネル固定金具短辺部材１２の各角部付近にそれぞれ２箇所ずつ固定金具貫通ビス孔１０ａが設けられている。
【００５１】
一方、本実施の形態では、さらに、上記パネル固定金具１０とパネルホルダ３０とをモジュール合体ビス６によってネジ止めすることにより、これらパネル固定金具１０、液晶パネル２０及びパネルホルダ３０を一体化するようになっている。
【００５２】
このため、各パネル固定金具長辺部材１１には、中央位置と両端部とに上記モジュール合体ビス６を挿通させるための固定金具パネル合体ビス孔１０ｂがそれぞれ設けられている。なお、パネル固定金具短辺部材１２の中央位置には、特に、固定金具パネル合体ビス孔１０ｂは穿設していない。この理由は、パネル固定金具長辺部材１１の両端部に固定金具パネル合体ビス孔１０ｂがあり、このことはパネル固定金具短辺部材１２の両端部に固定金具パネル合体ビス孔１０ｂが存在するTことを意味すること、パネル固定金具短辺部材１２はパネル固定金具長辺部材１１よりも短いので、特に、固定金具パネル合体ビス孔１０ｂを設けて固定するには及ばないこと、及び、液晶パネル２０の一側方には、上述したゲート側回路基板２３が可撓性のゲート側配線フィルム２４を介して接続されているので、モジュール合体ビス６の挿通に障害になる場合があること等である。
【００５３】
なお、固定金具貫通ビス孔１０ａ及び固定金具パネル合体ビス孔１０ｂの個数は、必ずしもこれに限らず、より多くのものを穿設することが可能である。また、これら固定金具貫通ビス孔１０ａ及び固定金具パネル合体ビス孔１０ｂを取り敢えず穿設しておき、一部について、貫通ビス５及びモジュール合体ビス６を挿通しないとすることも可能である。また、固定金具貫通ビス孔１０ａ及び固定金具パネル合体ビス孔１０ｂの位置について、本実施の形態では異なる位置に穿設することが可能である。
【００５４】
さらに、本実施の形態では、これら固定金具貫通ビス孔１０ａ及び固定金具パネル合体ビス孔１０ｂは交互に設けられているのが好ましい。
【００５５】
次に、上記ランプホルダ４０は、下側に図示しない反射板を備えており、バックライト４１からの光を反射して液晶パネル２０に照射できるようになっている。上記バックライト４１は、上述したように、例えば複数の蛍光管等からなっている。これら蛍光管は、個々に細長い棒状にてなっており、ランプホルダ４０内で長辺方向すなわち液晶表示装置１の左右方向に延在して、短辺方向すなわち液晶表示装置１の上下方向に等間隔で配置され、各両端がランプホルダ４０のランプホルダ架台４２に挿入されることにより、このランプホルダ４０に支持されている。なお、反射板は、反射効率を高めるために、例えば酸化チタンを含有した白色のプラスチックにてなっている。
【００５６】
また、本実施の形態では、パネルホルダ３０には、上記貫通ビス５の挿通のために、上記パネル固定金具１０の固定金具貫通ビス孔１０ａと同じ平面位置に、ホルダ貫通ビス孔３０ａが設けられていると共に、上記パネル固定金具１０の固定金具パネル合体ビス孔１０ｂと同じ平面位置に、ホルダ合体ビス孔３０ｂが設けられている。上記ホルダ貫通ビス孔３０ａは、パネル固定金具１０及びパネルホルダ３０の相互の膨張率及び収縮率の相違を考慮して、図５に示すように、横方向に長い小判型の孔形状を有している。
【００５７】
上記拡散板３は、液晶パネル２０と略同形状の矩形のものであって、その表面には光学シート２が積層されている。なお、この光学シート２は、一種類に限らず、複数の層にて形成する場合もある。この光学シート２は、例えば、偏光フィルムや、高周波ノイズの吸収する機能を有するシート等の各層からなっている。これら拡散板３及び光学シート２の縁部は、ランプホルダ４０の縁部に嵌合された状態で収納されている。
【００５８】
したがって、バックライト４１から発せられた光は、直接又は反射板で反射して拡散板３に入射し、この拡散板３により拡散されて光学シート２を通過して液晶パネル２０に照射される。その際、光学シート２により不要な高周波ノイズが除去され、これにより液晶パネル２０は均等な輝度分布で照射されることになる。
【００５９】
次に、上記リアシャーシ５０は、導電性金属板から成形されて表面が開放した箱状でパネル固定金具１０内に収納可能なものであり、液晶表示装置１の左右及び上下方向の端部が、略直角に折曲されて立ち上がるシャーシ立設壁５１が形成されている。また、リアシャーシ５０には、上記貫通ビス５でのネジ止めのために、上記パネル固定金具１０の固定金具貫通ビス孔１０ａ及びパネルホルダ３０のホルダ貫通ビス孔３０ａと同じ平面位置に、シャーシ貫通ビス孔５０ａが設けられている。
【００６０】
ここで、本実施の形態の液晶表示装置１におけるリアシャーシ５０に対するランプホルダ４０及びパネルホルダ３０の位置決めについて、詳細に説明する。
【００６１】
本実施の形態では、液晶表示装置１が立設状態で組み立てられるものとなっている。このため、各部材に凸部とそれに対する嵌合孔を設けること等により、各部材の位置決めが容易に行えるようになっている。
【００６２】
具体的には、図１に示すように、ランプホルダ４０の裏面の４隅角には、ランプホルダ位置決め用突起４３が形成されていると共に、リアシャーシ５０には、このランプホルダ位置決め用突起４３の対応する位置にリアシャーシ孔５２が形成されている。また、リアシャーシ５０のシャーシ立設壁５１は、ランプホルダ４０の外形に略内接して略直角に折曲されて立ち上がっている。したがって、ランプホルダ４０をリアシャーシ５０側に嵌め込むことにより、容易に、ランプホルダ位置決め用突起４３がリアシャーシ孔５２に嵌合される。この結果、ランプホルダ４０が、容易に、リアシャーシ５０内に位置決めされた状態で収納される。
【００６３】
次に、ランプホルダ４０における、液晶表示装置１の左右側面の縁部には断面略Ｌ字状に立設するランプホルダ架台４２が設けられている。このランプホルダ架台４２の上面高さは、上記シャーシ立設壁５１の上端と略同じ高さとなっている。また、このランプホルダ架台４２の上面には、外側に円柱状のパネルホルダ位置決め用突起４４が設けられ、かつ内側にシート載置部４５が設けられている。
【００６４】
このシート載置部４５には拡散板３及び光学シート２が載置されると共に、パネルホルダ位置決め用突起４４は拡散板３及び光学シート２の外形の沿うように立ち上がっている。したがって、拡散板３及び光学シート２を積層してパネルホルダ位置決め用突起４４内に嵌め込むことにより、容易に、拡散板３及び光学シート２がランプホルダ４０のシート載置部４５に載置され、位置決めされた状態で収納される。
【００６５】
次に、パネルホルダ３０には、外周部に、略Ｌ字状に垂れ下がるパネルホルダ垂下部３２が形成されており、このパネルホルダ垂下部３２は、上記リアシャーシ５０のシャーシ立設壁５１における外側を略嵌合する位置に垂れ下がっている。したがって、パネルホルダ３０をランプホルダ４０側に外嵌させることにより、容易に、ホルダ位置決め用突起４４がパネルホルダ位置決め孔３１に嵌合される。この結果、パネルホルダ３０が、容易に、ランプホルダ４０に位置決めされた状態で外嵌収納される。
【００６６】
また、パネルホルダ３０のパネルホルダ垂下部３２には、図６（ａ）に示すように、弾性を有する係止爪３８が設けられていると共に、リアシャーシ５０のシャーシ立設壁５１には、図１に示すように、上記係止爪３８を係止する突起状の係止部５３が形成されている。このため、パネルホルダ３０のパネルホルダ垂下部３２がシャーシ立設壁５１内に混合されたときに、係止爪３８が係止部５３に外れないように係止されるので、ビス止めしなくても、パネルホルダ３０をリアシャーシ５０に簡易に仮固定することができる。
【００６７】
さらに、パネルホルダ３０には、上記パネルホルダ位置決め用突起４４の対応する位置にパネルホルダ位置決め孔３１が形成されている。
【００６８】
本実施の形態では、パネルホルダ位置決め孔３１は、図２に示すように、パネルホルダ３０の四隅に設けられていると共に、その孔の大きさが異なっている。すなわち、ランプホルダ４０及びパネルホルダ３０は、バックライト４１での温度上昇による膨張、及び湿度による膨張に曝される。したがって、ランプホルダ４０とパネルホルダ３０とが一体に膨張するとは限らず、膨張に際してずれるおそれがある。そこで、本実施の形態では、液晶表示装置１の左下の隅を基準点及び浮動点と考え、他のランプホルダ４０及びパネルホルダ３０の四隅では、位置がずれることを考慮している。そのため、本実施の形態では、図６（ｂ）に示すように、まず、液晶表示装置１の左下の隅における、パネルホルダ３０のパネルホルダ位置決め孔３１は、パネルホルダ位置決め用突起４４の円柱の外形と同じ内径を有している。また、液晶表示装置１の右下の隅における、パネルホルダ３０のパネルホルダ位置決め孔３１は、液晶表示装置１の左右方向に長い小判形状の孔を有している。さらに、液晶表示装置１の左上の隅における、パネルホルダ３０のパネルホルダ位置決め孔３１は、液晶表示装置１の上下方向に長い小判形状の孔を有している。最後に、液晶表示装置１の右上の隅における、パネルホルダ３０のパネルホルダ位置決め孔３１は、上記小判形状の孔の長径を有する円の孔を有している。これらの各孔形状によって、膨張時に、ランプホルダ４０及びパネルホルダ３０がずれても対応できるものとなっている。
【００６９】
また、本実施の形態では、膨張時のズレを小さくするために、ランプホルダ４０及びパネルホルダ３０は、同質材料の例えばポリカーボネート等のプラスチックからなっている。
【００７０】
次いで、枠体からなるパネルホルダ３０には外周縁にパネルホルダ台部３３が形成されていると共に、このパネルホルダ台部３３の内側には、断面Ｌ字状のパネルホルダ内側嵌合部３４が形成されている。このパネルホルダ内側嵌合部３４は、載置部３４ａと垂直部３４ｂとからなっており、図６（ａ）（ｂ）に示すように、載置部３４ａには周囲全体に弾性を有する載置面スペーサ３５が設けられていると共に、垂直部３４ｂには枠体からなるパネルホルダ３０の４隅近傍に２箇所ずつと液晶表示装置１の上下となる部分にそれぞれ２箇所ずつ、弾性を有する壁面スペーサ３６が設けられている。本実施の形態では、壁面スペーサ３６は、その設置位置によって、弾性力の異なるものが使用されている。具体的には、図６（ｂ）に示すように、液晶表示装置１の下側は液晶パネル２０の自重を考慮して、硬い材質からなる壁面硬スペーサ３６ａが使用されている。それに比べて、液晶表示装置１の上側は、柔らかい材質からなる壁面柔スペーサ３６ｂが使用されている。また、液晶表示装置１の左側は、硬い材質からなる壁面硬スペーサ３６ａが使用している一方、液晶表示装置１の右側は、柔らかい材質からなる壁面柔スペーサ３６ｂが使用されている。この理由は、本実施の形態では、液晶表示装置１の例えば左下を不動基準点としているためである。
【００７１】
なお、載置面スペーサ３５及び壁面スペーサ３６は、例えばウレタン系のものを使用している。
【００７２】
上記のパネルホルダ３０の構成により、液晶パネル２０をパネルホルダ３０のパネルホルダ内側嵌合部３４に嵌合することにより、容易に、液晶パネル２０がパネルホルダ３０に位置決めされた状態で嵌合される。また、液晶パネル２０がパネルホルダ３０に嵌合された状態においては、壁面スペーサ３６が隅角部に設けられており、かつ載置部３４ａには載置面スペーサ３５が設けられているので、液晶パネル２０の角や縁部を傷付けることがない。
【００７３】
次に、パネルホルダ３０のパネルホルダ台部３３の上面には、固定金具位置決め用突起３７が形成されていると共に、パネル固定金具１０には対応する位置にパネル固定金具孔１４が形成されている。さらに、パネル固定金具１０には、パネルホルダ台部３３の外側壁３３ａに略沿うように垂れ下がる固定金具段差部１５が形成されている。したがって、パネル固定金具１０の固定金具段差部１５をパネルホルダ３０のパネルホルダ３０のパネルホルダ台部３３に外嵌させることにより、容易に、パネル固定金具１０のパネル固定金具孔１４をパネルホルダ３０の固定金具位置決め用突起３７を嵌合させることができる。この結果、パネル固定金具１０が、容易に、パネルホルダ３０に位置決めされた状態で外嵌される。本実施の形態では、パネル固定金具１０の裏面に固定金具裏側スペーサ１１が設けられている。このため、液晶パネル２０は、パネルホルダ３０とパネル固定金具１０との間に略動かないように挟持固定されるものとなっている。また、液晶パネル２０の縁部を傷付けることもない。
【００７４】
上記構成の液晶表示装置１の組立手順について説明する。なお、本実施の形態では、この液晶表示装置１は、例えば大型であるので、立てた状態で組み立てていきものとなっている。ただし、必ずしもこれに限らず、例えば、図示しないコンベアに寝かせた状態で組み立てていくことも可能である。
【００７５】
まず、図１に示すように、ランプホルダ４０をリアシャーシ５０のシャーシ立設壁５１に沿わして嵌め込み、ランプホルダ４０の裏面の４隅角に形成されたランプホルダ位置決め用突起４３をリアシャーシ５０の予め所定位置に形成されたリアシャーシ孔５２に嵌合させる。これにより、ランプホルダ４０が、リアシャーシ５０内に位置決めされた状態で、このリアシャーシ５０に収納固定される。
【００７６】
次いで、ランプホルダ４０におけるランプホルダ架台４２の上面に形成されたシート載置部４５に拡散板３及び光学シート２をパネルホルダ位置決め用突起４４に沿わして嵌め込む。これにより、拡散板３及び光学シート２は、ランプホルダ４０におけるランプホルダ架台４２のパネルホルダ位置決め用突起４４内に嵌合状態に積層される。
【００７７】
次いで、パネルホルダ３０を、リアシャーシ５０のシャーシ立設壁５１に沿わして外嵌させ、ランプホルダ４０におけるランプホルダ架台４２の上面に形成されたパネルホルダ位置決め用突起４４に、パネルホルダ３０のパネルホルダ位置決め孔３１を嵌め込む。これにより、パネルホルダ３０が、ランプホルダ４０に位置決めされた状態で、このランプホルダ４０に容易に一体化される。
【００７８】
次いで、パネルホルダ３０のパネルホルダ内側嵌合部３４に液晶パネル２０を載置する。このとき、このパネルホルダ内側嵌合部３４には、液晶パネル２０の載置面に弾性を有する載置面スペーサ３５が周囲全体に設けられていると共に、液晶パネル２０の端部が当接する側面側にも、パネルホルダ内側嵌合部３４の各角隅部に２箇所ずつ壁面スペーサ３６が設けられている。また、液晶パネル２０の上面側についても、パネル固定金具１０における裏面の周囲全体にパネル固定金具裏側スペーサ１６が設けられている。したがって、これら載置面スペーサ３５、壁面スペーサ３６及びパネル固定金具裏側スペーサ１６が、液晶表示装置１の横揺れ及び縦揺れ等による衝撃等に対して緩衝材として機能するものとなっている。なお、これら載置面スペーサ３５、壁面スペーサ３６及びパネル固定金具裏側スペーサ１６によって、液晶パネル２０は、略動かないようにパネルホルダ３０とパネル固定金具１０との間に挟持固定されるものとなっている。
【００７９】
次いで、パネル固定金具１０の固定金具段差部１５を、パネルホルダ３０におけるパネルホルダ台部３３の外側壁３３ａに沿わせて、パネル固定金具１０をパネルホルダ３０に嵌め込む。これにより、パネルホルダ３０の上面に設けられた固定金具位置決め用突起３７に、パネル固定金具１０に形成されたパネル固定金具孔１４を通す。これにより、パネル固定金具１０が、パネルホルダ３０に位置決めされた状態で、このパネルホルダ３０に一体化される。
【００８０】
以上の組み立て動作により、リアシャーシ５０からパネル固定金具１０までが、暫定的に一体化される。すなわち、ネジ止めはされていないが、容易に外れない程度に一体化されている。
【００８１】
次いで、ネジ止め工程に移る。
【００８２】
本実施の形態では、図２に示すように、貫通ビス５をパネル固定金具１０の前面側からこのパネル固定金具１０の固定金具貫通ビス孔１０ａ、及びパネルホルダ３０のホルダ貫通ビス孔３０ａを通してリアシャーシ５０のシャーシ貫通ビス孔５０ａに螺合させる。これにより、パネル固定金具１０からリアシャーシ５０までが、これら貫通ビス５にて一体に締結される。
【００８３】
次いで、本実施の形態では、モジュール合体ビス６を、パネル固定金具１０の前面側からこのパネル固定金具１０のモジュール合体ビス孔１０ｂに通して、パネルホルダ３０のホルダ合体ビス孔３０ｂに螺合させる。これにより、パネル固定金具１０からパネルホルダ３０までが、これらモジュール合体ビス孔１０ｂにて一体に締結される。
【００８４】
最後に、本実施の形態の液晶表示装置１において、メンテナンス等において、部品を取り替えるときの解体分離方法について説明する。
【００８５】
例えば、ランプホルダ４０の交換・メンテナンス等のみを行う場合には、上記モジュール合体ビス６を取り外さず、貫通ビス５のみ取り外して解体分離してもよい。この場合、パネル固定金具１０からパネルホルダ３０までを一体として締結した状態で解体することになるため、解体後の部品点数を少なくした状態でランプホルダ４０の交換やメンテナンス等を行うことが可能となる。
【００８６】
なお、本実施の形態では、第１嵌合部としてのランプホルダ位置決め用突起４３及びリアシャーシ孔５２を形成し、第２嵌合部としてのパネルホルダ位置決め用突起４４及びパネルホルダ位置決め孔３１を形成し、第３嵌合部としての固定金具位置決め用突起３７及びパネル固定金具孔１４を形成している。しかし、上記の凹凸の関係は必ずしもこれに限らず、逆にすることも可能である。
【００８７】
上記構成の液晶表示装置１により、確実に液晶パネル２０を収容する機能を１つの部材で構成しながらも、軽量化されても熱膨張による変形を極力抑えることができる。さらにパネルホルダ３０を容易に取外すことが可能な液晶表示装置１を提供することができる。
【００８８】
このように、本実施の形態の液晶表示装置１では、液晶パネル２０が、パネル固定金具１０とパネルホルダ３０との間に挟持され、かつ拡散板３及びランプホルダ４０がパネルホルダ３０とリアシャーシ５０との間に挟持される。したがって、各部材を積層していくだけであるので、容易に各部材を一体化することができる。
【００８９】
また、組み立てに際しては、ランプホルダ４０及びリアシャーシ５０には、該ランプホルダ４０とリアシャーシ５０との間で互いに嵌合される凹凸部からなる第１嵌合部としてのランプホルダ位置決め用突起４３及びリアシャーシ孔５２が設けられている。このため、リアシャーシ５０に形成されたリアシャーシ孔５２に、ランプホルダ４０に形成された対応するランプホルダ位置決め用突起４３を挿入すればよい。
【００９０】
また、ランプホルダ４０及びパネルホルダ３０には、該ランプホルダ４０とパネルホルダ３０との間で互いに嵌合される凹凸部からなる第２嵌合部としてのパネルホルダ位置決め用突起４４及びパネルホルダ位置決め孔３１が設けられている。このため、リアシャーシ５０に組み付けられたランプホルダ４０に形成されたパネルホルダ位置決め用突起４４を、パネルホルダ３０に形成された対応するパネルホルダ位置決め孔３１に挿入すればよい。
【００９１】
さらに、パネルホルダ３０及びパネル固定金具１０には、該パネル固定金具１０とパネルホルダ３０との間で互いに嵌合される凹凸部からなる第３嵌合部としての固定金具位置決め用突起３７及びパネル固定金具孔１４が設けられている。このため、リアシャーシ５０及びランプホルダ４０が一体となったパネルホルダ３０に形成された固定金具位置決め用突起３７に、パネル固定金具１０に形成された対応するパネル固定金具孔１４を挿入すればよい。
【００９２】
このように、各部材が凹凸部からなる第１嵌合部〜第３嵌合部によって、組み立てられるので、凸部を凹部又は凹部を凸部に挿入するだけで、容易に各部材の位置決めを行うことができる。したがって、立てた状態で組み立てる場合において、容易に一体化することができ、かつ各部材の位置決めを容易に行い得る液晶表示装置１を提供することができる。
【００９３】
また、本実施の形態の液晶表示装置１では、リアシャーシ５０の縁部にはシャーシ立設壁５１が立設され、かつランプホルダ４０の端部にはバックライト４１を支持するランプホルダ架台４２が設けられていると共に、ランプホルダ架台４２の側面壁は、シャーシ立設壁５１内に嵌合されるように形成されている。
【００９４】
これにより、ランプホルダ４０とリアシャーシ５０とを第１嵌合部にて嵌合するときに、ランプホルダ架台４２の側面壁をシャーシ立設壁５１内に沿わすだけで、第１嵌合部での嵌合が達成できるように案内される。したがって、第１嵌合部での嵌合がさらに容易になる。
【００９５】
また、本実施の形態の液晶表示装置１では、リアシャーシ５０の縁部にはシャーシ立設壁５１が立設され、かつパネルホルダ３０の縁部にはパネルホルダ垂下部３２が設けられていると共に、パネルホルダ垂下部３２は、シャーシ立設壁５１に外嵌されるように形成されていることが好ましい。
【００９６】
また、本実施の形態の液晶表示装置１では、パネルホルダ３０の縁部にはパネルホルダ垂下部３２が設けられていると共に、上記パネルホルダ垂下部３２は、シャーシ立設壁５１に外嵌されるように形成されている。
【００９７】
これにより、パネルホルダ３０とランプホルダ４０とを第２嵌合部にて嵌合するときに、パネルホルダ垂下部３２をシャーシ立設壁５１に沿わすだけで、第２嵌合部での嵌合が達成できるように案内される。したがって、第２嵌合部での嵌合がさらに容易になる。
【００９８】
また、本実施の形態の液晶表示装置１では、パネルホルダ３０のパネルホルダ垂下部３２には、弾性を有する係止爪３８が設けられていると共に、リアシャーシ５０のシャーシ立設壁５１には、パネルホルダ３０のパネルホルダ垂下部３２がシャーシ立設壁５１内に嵌合されたときに、パネルホルダ垂下部３２がシャーシ立設壁５１から外れないように上記係止爪３８を係止する係止部５３が形成されている。
【００９９】
これにより、パネルホルダ３０のパネルホルダ垂下部３２がシャーシ立設壁５１内に嵌合されたときに、パネルホルダ垂下部３２がシャーシ立設壁５１から外れないように、係止部５３が係止爪３８を係止する。したがって、係止爪３８及び係止部５３によって、例えばビスを用いなくても、リアシャーシ５０にパネルホルダ３０を仮止めすることができる。
【０１００】
また、本実施の形態の液晶表示装置１では、パネルホルダ３０には凸状に立ち上がるパネルホルダ台部３３が形成されていると共に、パネル固定金具１０には、パネルホルダ台部３３に嵌合される固定金具段差部１５が形成されている。
【０１０１】
これにより、パネル固定金具１０とランプホルダ４０とを第３嵌合部にて嵌合するときに、固定金具段差部１５を、凸状に立ち上がるパネルホルダ台部３３に沿わすだけで、第３嵌合部での嵌合が達成できるように案内される。したがって、第３嵌合部での嵌合がさらに容易になる。
【０１０２】
また、本実施の形態の液晶表示装置１では、ランプホルダ４０には、拡散板３を載置するシート載置部４５が設けられ、かつ拡散板３をシート載置部４５に載置するときに拡散板３を嵌合させる拡散板嵌合部としてのパネルホルダ位置決め用突起４４が設けられている。
【０１０３】
これにより、拡散板３をパネルホルダ位置決め用突起４４に沿わして挿入するだけで、拡散板３がシート載置部４５に案内され、拡散板３をシート載置部４５に容易に載置することができる。
【０１０４】
また、本実施の形態の液晶表示装置１では、パネルホルダ３０には、液晶パネル２０を載置するパネル載置部としての載置部３４ａが設けられ、かつ液晶パネル２０をパネル載置部３４ａに載置するときに液晶パネル２０を嵌合させる嵌合垂直部としての垂直部３４ｂが立設されている。
【０１０５】
これにより、液晶パネル２０を垂直部３４ｂに沿わして挿入するだけで、液晶パネル２０が載置部３４ａに案内され、液晶パネル２０を載置部３４ａに容易に載置することができる。
【０１０６】
また、本実施の形態の液晶表示装置１では、パネルホルダ３０の載置部３４ａ及び垂直部３４ｂは、弾性を有する載置面スペーサ３５及び壁面スペーサ３６を含むと共に、載置面スペーサ３５及び壁面スペーサ３６は、載置部３４ａ及び垂直部３４ｂにおける、パネルホルダ３０の周囲全体又は部分的に設けられている。
【０１０７】
これにより、液晶表示装置１が衝撃を受けても液晶パネル２０が容易に損傷することを防止することができる。
【０１０８】
また、本実施の形態の液晶表示装置１では、パネルホルダ３０の垂直部３４ｂに部分的に設けられている、弾性を有する壁面スペーサ３６は、その設置場所に応じた、異なる柔軟性を有している。
【０１０９】
これにより、例えば、液晶表示装置１の下側では、液晶パネル２０の自重を考慮して、壁面硬スペーサ３６ａを用いることができ、液晶表示装置１の左の側面側では、膨張・収縮を考慮して、壁面硬スペーサ３６ａを用いることができる。また、例えば、液晶表示装置１の上側では、液晶パネル２０の自重を考慮して、壁面柔スペーサ３６ｂを用いることができ、液晶表示装置１の右の側面側では、膨張・収縮を考慮して、壁面柔スペーサ３６ｂを用いることができる。
【０１１０】
また、本実施の形態の液晶表示装置１では、パネルホルダ３０とランプホルダ４０とは同じ素材にて構成されている。これにより、パネルホルダ３０とランプホルダ４０とが第２嵌合部にて一体となったときに、膨張率及び収縮率が同じになるので、パネルホルダ３０とランプホルダ４０とのズレによる第２嵌合部の破損を防止することができる。
【０１１１】
また、本実施の形態の液晶表示装置１では、パネルホルダ３０及びランプホルダ４０は、プラスチックにて構成されている。これにより、液晶表示装置１の軽量化を図ることができる。また、凹凸部の加工も容易である。
【０１１２】
また、本実施の形態の液晶表示装置１では、ランプホルダ４０及びパネルホルダ３０に設けられた第２嵌合部は、ランプホルダ４０及びパネルホルダ３０の四隅に設けられていると共に、上記四隅の各第２嵌合部における凹部の大きさは、それぞれ異なっている。
【０１１３】
これにより、パネルホルダ３０とランプホルダ４０とが第２嵌合部にて一体となったときに、パネルホルダ３０とランプホルダ４０とが膨張又は収縮によってズレても、一部の第２嵌合部の凹部を大きくすることにより、第２嵌合部の破損を防止することができる。
【産業上の利用可能性】
【０１１４】
本発明は、少なくとも、リアシャーシ、バックライトを取り付けたランプホルダ、拡散板、パネルホルダ、液晶パネル及びパネル固定金具がこの順に組み込まれた液晶表示装置に利用できる。したがって、この液晶表示装置を用いたテレビ、モニタ等の用途に適用が可能である。
【図面の簡単な説明】
【０１１５】
【図１】本発明における液晶表示装置の実施の一形態を示す断面図である。
【図２】上記液晶表示装置の構造を示す分解組み立て図である。
【図３】上記液晶表示装置の液晶パネルの概略構造を示す斜視図である。
【図４】（ａ）は上記液晶表示装置のパネル固定金具の構造を示す正面図であり、（ｂ）は上記液晶表示装置のパネル固定金具の構造を示す側面図である。
【図５】上記液晶表示装置におけるパネルホルダの下側の構造を示す要部正面図である。
【図６】（ａ）は上記液晶表示装置のパネルホルダの構造を示す側面図であり、（ｂ）は上記液晶表示装置のパネルホルダの構造を示す正面図である。
【図７】（ａ）は従来の液晶表示装置の構造を示す断面図であり、（ｂ）は上記液晶表示装置の構造を分解して示す断面図である。
【図８】上記従来の液晶表示装置に用いられる中間枠の構成を示す斜視図である。
【符号の説明】
【０１１６】
１      液晶表示装置
２      光学シート
３      拡散板
５      貫通ビス
６      モジュール合体ビス
１０      パネル固定金具
１０ａ    固定金具貫通ビス孔
１０ｂ    固定金具パネル合体ビス孔
１４      パネル固定金具孔（第３嵌合部）
２０      液晶パネル
３０      パネルホルダ
３０ａ    ホルダ貫通ビス孔
３０ｂ    ホルダ合体ビス孔
３１      パネルホルダ位置決め孔（第２嵌合部）
３２      パネルホルダ垂下部
３３      パネルホルダ台部
３４      パネルホルダ内側嵌合部
３４ａ    載置部（パネル載置部）
３４ｂ    垂直部（嵌合垂直部）
３５      載置面スペーサ
３６      壁面スペーサ
３６ａ    壁面硬スペーサ
３６ｂ    壁面柔スペーサ
３７      固定金具位置決め用突起（第３嵌合部）
３８      係止爪
４０      ランプホルダ
４１      バックライト
４２      ランプホルダ架台
４３      ランプホルダ位置決め用突起（第１嵌合部）
４４      パネルホルダ位置決め用突起（第２嵌合部、拡散板嵌合部）
４５      シート載置部（拡散板載置部）
５０      リアシャーシ
５０ａ    シャーシ貫通ビス孔
５１      シャーシ立設壁
５２      リアシャーシ孔（第１嵌合部）
５３      係止部
【図１】
2006235127.tif 000003
【図２】
2006235127.tif 000004
【図３】
2006235127.tif 000005
【図４】
2006235127.tif 000006
【図５】
2006235127.tif 000007
【図６】
2006235127.tif 000008
【図７】
2006235127.tif 000009
【図８】
2006235127.tif 000010